(57)【要約】【課題】簡易な構造で、加工精度を要さず、かつ小形化できるドアクローザを提供すること。【解決手段】ドアＤとドア枠との間に揺動可能に配設されるアーム２をばね１３、１３の付勢力によって付勢するドアクローザ１であって、ケーシング１０の中間位置に回転可能に配設され、先端にアーム２の一端側と係合する係合部１１ａを、対向する側面に凹面１１ｂ、１１ｂを形成したアームジグ１１と、ケーシング１０内に摺動可能に配設され、ばね１３、１３の付勢力によって凹面１１ｂ、１１ｂを形成したアームジグ１１の側面にそれぞれ当接する摺動部材１２、１２と、この摺動部材１２、１２を付勢するばね１３、１３とから構成する。【選択図】図１
2005320733.tif 000002
【特許請求の範囲】
【請求項１】
ドアとドア枠との間に揺動可能に配設されるアームをばねの付勢力によって付勢するドアクローザにおいて、ケーシングの中間位置に回転可能に配設され、先端にアームの一端側と係合する係合部を、対向する側面に凹面を形成したアームジグと、ケーシング内に摺動可能に配設され、ばねの付勢力によって凹面を形成したアームジグの側面にそれぞれ当接する摺動部材と、該摺動部材を付勢するばねとからなることを特徴とするドアクローザ。
【請求項２】
ばねの圧縮力を調整することによってアームを付勢するばねの付勢力を調節するばねの圧縮力調整部材を配設したことを特徴とする請求項１記載のドアクローザ。
【発明の詳細な説明】
【技術分野】
【０００１】
本発明は、ドアクローザに関し、特に、簡易な構造で、かつ小形化できるドアクローザに関するものである。
【背景技術】
【０００２】
従来、開放したドアを自動的に閉じるようにするために油圧式のドアクローザが汎用されている。
この油圧式のドアクローザは、シリンダ内に充填した作動油を、ドアの開閉時、ピストンに配設したオリフィスを経て流動させるとともに、ドアを開くときと、閉じるときとで、オリフィスを経て流動する作動油の流量を変えることにより、ドアを開くときには軽く迅速に、一方、ドアを閉じるときには自動的にゆっくりと閉じるように構成するようにしている。
【０００３】
このように、従来の油圧式のドアクローザは、ドアを開くときには軽く迅速に、一方、ドアを閉じるときには自動的にゆっくりと閉じることができる優れた操作性を有するものの、構造が複雑で大形なものとなり、価格も高価なものとなるだけでなく、取付作業及び調整作業に手数を要するという問題があった。
【０００４】
この問題点に対処するため、本件出願人は、先に、ドア側に固定されるケーシングに、回転軸に一体に設けたピニオンを挟むように平行に対峙して噛合したラックの両側にばねを配設して構成した押圧機構にて常に中立位置を保持するように付勢される回転軸を備えたドアクローザ本体と、固定側に固定されるストッパと、ドアクローザ本体の回転軸に突設され、ストッパに当接するロッドとからドアクローザを提案した（特許文献１参照）。
しかしながら、このドアクローザは、ラック・ピニオン機構を用いるため、ドアクローザを円滑に作動させるために一定の加工精度を要するという問題があった。
【特許文献１】特開２０００−４５６２４号公報
【発明の開示】
【発明が解決しようとする課題】
【０００５】
本発明は、上記従来のドアクローザの有する問題点に鑑み、簡易な構造で、加工精度を要さず、かつ小形化できるドアクローザを提供することを目的とする。
【課題を解決するための手段】
【０００６】
上記目的を達成するため、本発明のドアクローザは、ドアとドア枠との間に揺動可能に配設されるアームをばねの付勢力によって付勢するドアクローザにおいて、ケーシングの中間位置に回転可能に配設され、先端にアームの一端側と係合する係合部を、対向する側面に凹面を形成したアームジグと、ケーシング内に摺動可能に配設され、ばねの付勢力によって凹面を形成したアームジグの側面にそれぞれ当接する摺動部材と、該摺動部材を付勢するばねとからなることを特徴とする。
【０００７】
この場合において、ばねの圧縮力を調整することによってアームを付勢するばねの付勢力を調節するばねの圧縮力調整部材を配設することができる。
【発明の効果】
【０００８】
本発明のドアクローザによれば、ケーシングの中間位置に回転可能に配設され、先端にアームの一端側と係合する係合部を、対向する側面に凹面を形成したアームジグと、ケーシング内に摺動可能に配設され、ばねの付勢力によって凹面を形成したアームジグの側面にそれぞれ当接する摺動部材と、この摺動部材を付勢するばねとから構成し、ラック・ピニオン機構等の機械的な伝動機構によることなく、ドアとドア枠との間に揺動可能に配設されるアームをばねの付勢力によって付勢するようにしているため、簡易な構造で、加工精度を要さず、かつ小形化できるドアクローザを提供することができる。
【０００９】
また、ばねの圧縮力を調整することによってアームを付勢するばねの付勢力を調節するばねの圧縮力調整部材を配設することにより、アームを付勢するばねの付勢力の調節を簡易に行うことができる。
【発明を実施するための最良の形態】
【００１０】
以下、本発明のドアクローザの実施の形態を、図面に基づいて説明する。
【実施例１】
【００１１】
図１〜図５に、本発明のドアクローザの一実施例を示す。
このドアクローザ１は、ドアＤとドア枠（図示省略）との間に揺動可能に配設されるアーム２をばね１３、１３の付勢力によって付勢するようにしたもので、ケーシング１０の中間位置に回転可能に配設され、先端にアーム２の一端側に形成した係合孔２ａと係合する係合部１１ａを、対向する側面に凹面１１ｂ、１１ｂを形成したアームジグ１１と、ケーシング１０内に摺動可能に配設され、ばね１３、１３の付勢力によって凹面１１ｂ、１１ｂを形成したアームジグ１１の側面にそれぞれ当接する摺動部材１２、１２と、この摺動部材１２、１２を付勢するばね１３、１３と、このばね１３、１３の圧縮力を調整することによってアーム２を付勢するばね１３、１３の付勢力を調節するばねの圧縮力調整部材１４とから構成するようにしている。
【００１２】
本実施例において、ケーシング１０は、ドアＤの上部に埋め込むようにして配設するようにしているが、ケーシング１０をドア枠側に配設するようにすることもできる。
【００１３】
ケーシング１０は、アームジグ１１の先端に形成した係合部１１ａを突出させるようにするとともに、アームジグ１１の先端部を回転可能に保持する透孔１０ｄを形成した上部ケーシング１０ａと、アームジグ１１の基端部を回転可能に保持する透孔１０ｅを形成した下部ケーシング１０ｂとから構成するようにしている。
【００１４】
そして、上部ケーシング１０ａの透孔１０ｄから突出させたアームジグ１１の係合部１１ａに、アーム２の一端側に形成した係合孔２ａを係合させた後、係合部１１ａをかしめることにより、アームジグ１１の係合部１１ａとアーム２の係合孔２ａとの係合状態が保持されるようにする。
また、下部ケーシング１０ｂの透孔１０ｅから突出させたアームジグ１１の基端部に、ワッシャー１５を嵌合させた後、アームジグ１１の基端部をかしめることにより、アームジグ１１がケーシング１０から抜け出ないようにする。
【００１５】
ばね１３の付勢力によって凹面１１ｂを形成したアームジグ１１の側面に当接する摺動部材１２は、アームジグ１１の側面に当接する側を略角柱状に、ばね１３側をばね１３を受け入れることができるように略円柱状に形成するようにする。
これにより、ドアＤを開くと、その開放角度に応じて、アーム２を介して、アームジグ１１が回転し、アームジグ１１が略９０゜回転するまで、摺動部材１２を介して、ばね１３を圧縮し、ばね１３にドアＤを閉じる方向の付勢力を蓄えるようにする。
そして、アームジグ１１が略９０゜回転すると、摺動部材１２は、アームジグ１１の凹面１１ｂと略直交する面に乗り上げ、ばね１３にドアＤを閉じる方向の付勢力を蓄えた状態で、ドアＤを保持できるようにしている。
また、両方向に略９０゜回転するまで、ばね１３にドアＤを閉じる方向の付勢力を蓄えることができるため、両開きのドアにも対応することができるようにしている。
【００１６】
ばね１３の圧縮力を調整することによってアーム２を付勢するばね１３の付勢力を調節するばねの圧縮力調整部材１４は、ケーシング１０内に回転可能に配設した調整ボルト１４ａと、この調整ボルト１４ａと螺合し、ケーシング１０内に摺動可能で、回転不能に配設した調整ナット１４ｂとから構成するようにしている。
調整ナット１４ｂは、調整ボルト１４ａ側をケーシング１０内面に沿う略角形状に、ばね１３側をばね１３を受け入れることができるように略円柱状に形成するようにする。
調整ボルト１４ａの調整は、ケーシング１０の側面に形成した調整孔１０ｃを介して行うようにし、調整ボルト１４ａを回転させることにより、調整ボルト１４ａと螺合した調整ナット１４ｂを摺動させ、ばね１３の付勢力を調節するようにする。
【００１７】
なお、調整ボルト１４ａの調整は、ケーシング１０の上面、具体的には、図６に示す変形実施例のように、上部ケーシング１０ａの上面に形成した調整孔１０ｆを介して、調整ボルト１４ｃの頭部側面に形成した操作部１４ｄを操作して調整を行うようにすることもできる。
これにより、ケーシング１０をドアＤの上部に埋め込むようにして配設した状態のままで、調整ボルト１４ｃを回転させることにより、調整ボルト１４ｃと螺合した調整ナット１４ｅを摺動させ、ばね１３の付勢力を調節することができる。
【００１８】
また、アーム２は、金属板等の剛性を有する板材からなり、ドアＤとドア枠との間に形成された隙間に入り込むことができるように構成することにより、ドアＤを閉じた状態でアーム２が外部から見えなくすることができ、デザイン性を向上することができる。
【００１９】
このドアクローザ１によれば、ケーシング１０の中間位置に回転可能に配設され、先端にアーム２の一端側と係合する係合部１１ａを、対向する側面に凹面１１ｂ、１１ｂを形成したアームジグ１１と、ケーシング１０内に摺動可能に配設され、ばね１３、１３の付勢力によって凹面１１ｂ、１１ｂを形成したアームジグ１１の側面にそれぞれ当接する摺動部材１２、１２と、この摺動部材１２、１２を付勢するばね１３、１３とから構成し、ラック・ピニオン機構等の機械的な伝動機構によることなく、ドアＤとドア枠との間に揺動可能に配設されるアーム２をばね１３、１３の付勢力によって付勢するようにしているため、簡易な構造で、加工精度を要さず、かつ小形化できるドアクローザを提供することができる。
【００２０】
また、ばね１３、１３の圧縮力を調整することによってアーム２を付勢するばね１３、１３の付勢力を調節するばねの圧縮力調整部材１４、１４を配設することにより、アーム２を付勢するばね１３、１３の付勢力の調節を簡易に行うことができる。
【００２１】
以上、本発明のドアクローザについて、その実施例に基づいて説明したが、本発明は上記実施例に記載した構成に限定されるものではなく、その趣旨を逸脱しない範囲において適宜その構成を変更することができるものである。
【産業上の利用可能性】
【００２２】
本発明のドアクローザは、簡易な構造で、加工精度を要さず、かつ小形化できることから、各種ドアに好適に用いることができる。
【図面の簡単な説明】
【００２３】
【図１】本発明のドアクローザの一実施例を示し、（ａ）は平面図、（ｂ）は正面断面図、（ｃ）は側面図である。
【図２】同（ａ）は平面図、（ｂ）は正面断面図である。
【図３】上部ケーシングを示し、（ａ）は平面図、（ｂ）は正面断面図、（ｃ）は底面図である。
【図４】下部ケーシングを示し、（ａ）は平面図、（ｂ）は正面断面図、（ｃ）は底面図である。
【図５】アームジグを示し、（ａ）は平面図、（ｂ）は正面図、（ｃ）は底面図、（ｄ）は側面図である。
【図６】本発明のドアクローザの変形実施例を示す平面図である。
【符号の説明】
【００２４】
１    ドアクローザ
１０  ケーシング
１０ａ  上部ケーシング
１０ｂ  下部ケーシング
１０ｃ  調整孔
１０ｄ  透孔
１０ｅ  透孔
１０ｆ  調整孔
１１  アームジグ
１１ａ  係合部
１１ｂ  凹面
１２  摺動部材
１３  ばね
１４  ばねの圧縮力調整部材
１４ａ  調整ボルト
１４ｂ  調整ナット
１４ｃ  調整ボルト
１４ｄ  操作部
１４ｅ  調整ナット
２    アーム
２ａ  係合孔
Ｄ    ドア
【図１】
2005320733.tif 000003
【図２】
2005320733.tif 000004
【図３】
2005320733.tif 000005
【図４】
2005320733.tif 000006
【図５】
2005320733.tif 000007
【図６】
2005320733.tif 000008